(57)【要約】  毛束が巻かれる細長い形状を有する成形本体（３）を支持するグリップ（２）と、本体（３）に巻かれた毛束に所定のカールの形を定める、成形本体（３）に関連付けられた電気加熱手段（４）とを備えるタイプのものであり、グリップ（２）が成形本体（３）に固定して支持される、ヘアカール装置であって、本体（３）が相対的な正中水平面及び正中垂直面に関して対称な形状であり、長手方向において、所定の進行に従って最小値から最大値に、そして最大値から最小値に連続して変化する断面を示す、装置。【選択図】図２
2012502675.tif 000002
【特許請求の範囲】
【請求項１】
毛束が巻かれる細長い形状を有する成形本体（３）を支持するグリップ（２）と、前記本体（３）に巻かれた毛束に所定のカールの形を定める、前記成形本体（３）に関連付けられた電気加熱手段（４）とを備えるタイプのものであり、前記グリップ（２）が前記成形本体（３）に固定して支持される、ヘアカール装置であって、前記本体（３）が相対的な正中水平面及び正中垂直面に関して対称な形状であり、長手方向において、所定の進行に従って最小値から最大値に、そして最大値から最小値に連続して変化する断面を示すことを特徴とする、装置。
【請求項２】
前記成形本体（３）が２つのヘッド（５、６）と、少なくとも２つの幅狭ゾーン（８）により前記２つのヘッド（５、６）から隔てられた少なくとも１つの幅広ゾーン（７）とを備えることを特徴とする、請求項１に記載の装置。
【請求項３】
前記成形本体（３）が、対応する幅狭ゾーン（８）により互いから、及び前記ヘッド（５、６）から隔てられた複数の幅広ゾーン（７）を備えることを特徴とする、請求項２に記載の装置。
【請求項４】
前記ヘッド（５、６）の断面が、略楕円形、卵形、又は円形の幾何学的形状に従った形状であることを特徴とする、請求項２又は３に記載の装置。
【請求項５】
前記幅広部（７）及び前記幅狭部の断面が、略楕円形、卵形、又は円形の幾何学的形状に従った形状であることを特徴とする、請求項２〜４のいずれか一項に記載の装置。
【請求項６】
前記電気加熱手段（４）により生成される加熱電力を起動させて調整する手段（１０）を備え、前記手段（１０）が前記グリップ（２）に関連付けられることを特徴とする、請求項１〜５のいずれか一項に記載の装置。
【請求項７】
前記電気加熱手段（４）が１つ又は複数の電気抵抗により構成されることを特徴とする、請求項１〜６のいずれか一項に記載の装置。
【請求項８】
前記電気加熱手段（４）が、異なる加熱電力を有するいくつかの電気抵抗で構成されることを特徴とする、請求項１〜７のいずれか一項に記載の装置。
【発明の詳細な説明】
【技術分野】
【０００１】
技術分野
本発明は、カーラーとして知られているヘアカール装置に関する技術分野に関する。
【背景技術】
【０００２】
背景技術
多かれ少なかれ波打った髪に、顧客の望みに従ってカールのヘアスタイル又はパーマを実施するために、業界の操作者により使用されるように設計された複数のヘアカール装置が既知である。
【０００３】
ヘアカール装置は基本的に、一般的には円柱形であり、毛束が巻かれる細長い成形本体を支持するグリップ及び本体に巻かれた束に所定のカールの形を定める、成形本体に関連付けられた加熱手段により構成される。
【０００４】
髪が巻かれる本体が長い長手方向延長にわたって一定の断面を示す場合もあれば、本体が、グリップから自由端部に向けて進みながら常に増大する断面を示す場合もある。
【０００５】
多くの場合、巻かれた毛束を安定化させるように設計されるブロッキング要素が、成形本体にヒンジで留められる。
【０００６】
円柱形の本体が設けられたヘアカール装置は、取り扱われる毛束に最終的に「自然な」印象を提供することはできず、明らかに、印象が実際に人工的であることを示す。
【０００７】
最後に、既知のタイプのヘアカール装置では、最終的にスタイリングされた印象は、入念に行われても、不自然に見えるような見た目の印象を示す。すなわち、自然なウェーブ及び／又はカールと、ヘアカール装置を使用して人工的に生成されるものとは明らかに異なる。
【０００８】
円柱形の本体で得られるのは、互いに似たウェーブ及び／又はカールであり、関連するスタイリングに不自然な印象を加える。
【０００９】
成形本体がグリップから取り外し可能であるが、使用中に、２つの取り外し可能な本体間の結合の電気機械的安定性の確実性が保証されないという欠点を示すさらなるヘアカール装置が既知である。
【００１０】
これは特に、使用段階中に、万が一思いがけずに外れた場合、成形本体が意図せずに制御不能に、巻かれた顧客の髪及び顧客の頭部の両方に接触し、取り扱っている髪及び顧客の頭部の両方の最終的な美的結果が損なわれる危険性があることを考慮した場合、不都合である。
【００１１】
思いがけずに外れると、電源が接続されたグリップと、加熱手段が収容された成形本体との電気的な切断にも繋がり、成形本体の温度に望ましくない不均一性が生じ、操作者はこれを認識することができず、取り扱われる毛束の結果が不良になる。
【発明の概要】
【発明が解決しようとする課題】
【００１２】
発明の開示
本発明の目的は、取り扱われる毛束が、自然なカール及び／又はウェーブに特に似た人工的なウェーブ及び／又はカールを得られるようにするヘアカール装置を提供することである。
【００１３】
本発明のさらなる目的は、各毛束の長さに沿って異なるウェーブ及び／又はカールを得られるようにするヘアカール装置を提供することである。
【００１４】
本発明のさらなる目的は、操作者にとって極めて信頼性が高く機能的であり、それにより、取り扱われる毛束及び髪が取り扱われる使用者の安全性に対して、操作段階中に最大限の安全性を保証するヘアカール装置を提供することである。
【課題を解決するための手段】
【００１５】
上記目的は、請求項の内容に従って得られる。
【００１６】
本発明の特徴は、本発明の好ましいが排他的ではない実施形態が、図面の添付図を参照して示される以下の説明において明らかになる。
【図面の簡単な説明】
【００１７】
【図１】ヘアカール装置の正面図を示す。
【図２】ヘアカール装置の背面図を示す。
【図３】図１の断面Ｂ−Ｂに従った図を示す。
【図４】図１の断面Ａ−Ａに従った図を示す。
【発明を実施するための形態】
【００１８】
発明を実施する最良の形態
図面図を参照すると、１はヘアカール装置の全体を示し、ヘアカール装置は、既知のように、毛束が巻かれる細長い成形本体３を支持するグリップ２と、本体３に巻かれた束に所定のカールの形を定める、成形本体３に関連付けられた電気加熱手段４とを備え、成形本体３はグリップ２に固定して支持される。
【００１９】
新規の様式で、本発明のカール装置１には、相対する正中水平面及び正中垂直面に関して対称な形状であり、長手方向において、所定の進行に従って最小値から最大値に、そして最大値から最小値に連続して変化する断面を示す本体３が設けられる。
【００２０】
好ましい実施形態では、成形本体３は、互いから、及びヘッド（５、６）から３つの対応する幅狭部８により隔てられる一対の幅広部７を備える。
【００２１】
幅広部７は、添付図に示されるように、ヘッド５、６の断面よりも小さい断面を有してもよく、又はこの逆であってもよい。
【００２２】
例として、図面の添付図を参照すると、２つのヘッド５、６は略楕円形又は卵形の幾何学的形状の断面を有し、その一方で、幅広部７及び幅狭部８の断面は略円形の幾何学的形状を有する。
【００２３】
全く同様に、簡略さのために示されていないさらなる実施形態では、これら断面は、毛束に所定のカールが得られるようにする楕円形／卵形／円形幾何学的形状の所望の任意の組み合わせを含み得る。
【００２４】
これもまた簡略さのために示されていない同様の実施形態では、成形本体３は、互いから、及びヘッド５、６から対応する幅狭部８により隔てられた１つ又は複数の幅広部７をさらに備えることができる。
【００２５】
電気加熱手段４により生成される加熱電力を起動させて調整する手段１０が、有利なことには、グリップ２に配置される。
【００２６】
既知のように、ブロッキング要素を成形本体３に関連付けることができ、ブロッキング要素は、毛束を本体３上に安定化させるように設計される。
【００２７】
電気加熱手段４は、１つの電気抵抗、すなわち、例えば異なる加熱電力を有するいくつかの電気抵抗で構成することができる。
【００２８】
最初のケースでは、単一の抵抗が、成形本体３を全長にわたって加熱し、表面温度は、抵抗と表面との間に介在する物質の量に従って変化し、ヘッド５、６での表面温度は、幅広部７の温度よりも低く、そして、幅広部７の表面温度は幅狭部８の温度よりも低い。
【００２９】
２番目のケースでは、様々な抵抗のサイズ及び配置は、所定の表面温度プロファイルの成形本体３が得られるようなものである。
【００３０】
両ケースにおいて、電気加熱手段４を温度センサ（図示せず）に接続し、起動・調整手段１０を使用して調整することができる。
【００３１】
機能段階中、１つ又は複数の抵抗４は、成形本体３に巻かれた毛束に所定のウェーブ及び／又はカールが得られ、得られたカールが安定化するような所望の様式で成形本体３の外面を加熱する。
【００３２】
上記から、提供されるヘアカール装置によりどのようにして、取り扱われる毛束に、自然なウェーブ及び／又はカールに特に似たウェーブ及び／又はカールを人工的に得ることができるかを容易に理解することができる。
【００３３】
水平面及び垂直面に関して対称であり、最小値から最大値に、そして最大値から最小値に連続して変化する断面を有する細長い成形本体は、本体に巻かれた毛束が程度の異なるウェーブを有するゾーンの影響を受けることにより、自然な印象に特に似たウェーブ及び／又はカールの毛束を得られるようにする。
【００３４】
より厳密には、ウェーブは、幅狭部に巻かれた毛束ではより強調され、幅広部に巻かれた毛束ではあまり強調されない。
【００３５】
本発明のヘアカール装置はさらに、機能中に最大限の安全性を保証し、したがって、取り扱われる毛束を保護すると共に、髪を扱われる使用者の健康を守るため、操作者にとって極めて信頼性が高く機能的である。
【００３６】
複数の電気抵抗を利用可能なことと併せて、適した幅広部及び幅狭部を有するゾーンが存在することにより、成形本体の外面に所定の温度勾配を得ることができ、これにより、操作者は、自身が火傷する危険性及び操作段階中での使用者の毛髪の焼け焦げを回避して、より大きな安全性でヘアカール装置を取り扱うことができる。
【００３７】
成形本体の特別な幾何学的形状により、毛束を安定化させるより小型のブロッキング要素を使用することができ、これにより、あまり熟練していない操作者であっても、提供されるヘアカール装置を特に使用することができる。
【図１】
2012502675.tif 000003
【図２】
2012502675.tif 000004
【図３】
2012502675.tif 000005
【図４】
2012502675.tif 000006
【国際調査報告】
2012502675.tif 000007
2012502675.tif 000008